(57)【特許請求の範囲】
【請求項１】
ガイドボックスと、
このガイドボックスに支点軸を中心として回転可能に取付けてある一対のローラホルダと、
各ローラホルダに第一ローラ支持軸を回転中心として設けてある第一ガイドローラと、
上記各ローラホルダに第二ローラ支持軸を回転中心として設けてある第二ガイドローラと、
上記第一ガイドローラ及び第二ガイドローラのそれぞれの芯間を同時調整するための芯間調整機構と
を具備しており、
上記第一ガイドローラは各ローラホルダの先端部側に配置され、上記第二ガイドローラは第一ガイドローラより後端側に配置されており、
上記第二ローラ支持軸は、上記支点軸に設けられており、双方の軸心は互いに偏心しており、
上記芯間調整機構は、調整部を備えている作動体と、調整軸と、調整軸の上部に偏心して設けてある第一上偏心部と、上記支点軸の上部に設けてある第二上偏心部とを備えており、
上記第一上偏心部と上記第二上偏心部とは、それぞれ外周にギア部を有していると共に、互いに上記圧延材の進行方向に沿って対向して配置されており、
上記調整部は、対向する第一及び第二上偏心部間に位置してそれぞれのギア部を介して上記第一及び第二上偏心部を回転可能にするものであり、
上記第一偏心部の回転力は上記ローラホルダに、上記第二上偏心部は第二ローラ支持軸にそれぞれ伝達されるものであり、
上記各ローラホルダの後端部に外側面から内側面に向けて複数本の押しボルトが貫通されており、各押しボルトはその先端部を上記調整軸に当接して、上記ローラホルダの後端部の保持手段を構成している
ことを特徴とする入口ローラガイド装置。
【請求項２】
調整部は調整ピニオンで構成されており、第一及び第二上偏心部にギアホイールを設けてあり、上記調整部はギアホイールに噛み合っていることを特徴とする請求項１記載の入口ローラガイド装置。
【請求項３】
各ローラホルダの先端部間に両先端部を開く方向にばね力を付与するばねを設けてあることを特徴とする請求項１または請求項２記載の入口ローラガイド装置。
【発明の詳細な説明】
【発明の属する技術分野】
本発明は、入口ローラガイド装置に関するものである。
【従来の技術】
本出願人が提案した例えば実用新案登録第１８８４８１８号に係るローラガイド装置では、ローラホルダに主ガイドローラ（メインガイドローラ）と副ガイドローラ（サブガイドローラ）とを取付けて、圧延材を圧延機側に案内誘導するものである。
【発明が解決しようとする課題】
ガイドローラの芯間調整をより能率的に行う点に着目すると、より一層調整手間がかからないことが要求されている。
この発明の目的は、芯間調整を迅速に行えるようにすることにある。
【課題を解決するための手段】
この発明は、ガイドボックスと、このガイドボックスに支点軸を中心として回転可能に取付けてある一対のローラホルダと、各ローラホルダに第一ローラ支持軸を回転中心として設けてある第一ガイドローラと、上記各ローラホルダに第二ローラ支持軸を回転中心として設けてある第二ガイドローラと、上記第一ガイドローラ及び第二ガイドローラのそれぞれの芯間を同時調整するための芯間調整機構とを具備しているものである。上記第一ガイドローラは各ローラホルダの先端部側に配置され、上記第二ガイドローラは第一ガイドローラより後端側に配置されている。上記第二ローラ支持軸は上記支点軸に設けられており、双方の軸心は互いに偏心している。上記芯間調整機構は、調整部を備えている作動体と、調整軸と、調整軸の上部に偏心して設けてある第一上偏心部と、上記支点軸の上部に設けてある第二上偏心部とを備えている。上記第一上偏心部と上記第二上偏心部とは、それぞれ外周にギア部を有していると共に、互いに上記圧延材の進行方向に沿って対向して配置されている。上記調整部は、対向する第一及び第二上偏心部間に位置してそれぞれのギア部を介して上記第一及び第二上偏心部を回転可能にするものである。上記第一偏心部の回転力は上記ローラホルダに、上記第二上偏心部は第二ローラ支持軸にそれぞれ伝達されるものである。
【作用】
作動体の作動により、調整部は第一ガイドローラに対応している第一上偏心部と第二ガイドローラに対応している第二上偏心部とを同時に回転させることになり、この結果第一上偏心部からの回転力が伝達された調整軸は偏心回転することにより、ローラホルダは支点軸を中心として回転され、第一ガイドローラの芯間が調整され、第二上偏心部からの回転力が伝達された第二ローラ支持軸は偏心回転することにより、第二ガイドローラの芯間が調整される。
【発明の実施の形態】
図１乃至図４に示す入口ローラガイド装置Ｇ１について説明する。
ガイドボックス１０１は、その先端部側（図１左端部側）を圧延機に向けてしかもこの圧延機の入口に設けられる。ガイドボックス１０１には一対のローラホルダ１０２が設けられている。これらのローラホルダ１０２は、支点軸１０３を中心として先端部側が互いに接近離反可能であって、接近及び離反を通じてローラホルダ間は開閉可能となっている。各ローラホルダ１０２において、先端部側には第一ガイドローラである主ガイドローラ１０４が第一ローラ支持軸１０５にこれを回転中心として回転自在に軸支され、また主ガイドローラの後端側には第二ガイドローラである副ガイドローラ１０６が第２ローラ支持軸１０７を回転中心として取付けられている（図３）。１０３ａは支点軸１０３の下部である。第２ローラ支持軸１０７は支点軸１０３に設けられている。支点軸１０３と第２ローラ支持軸１０７との双方の軸心は互い偏心している。各ローラホルダ１０２は、その後端部の外側面から内側面に向けて複数本（図４で各２本）の押しボルト１０８がねじ込まれかつ図４左右方向に貫通されている。各押しボルトは、その先端部をローラホルダ１０２の後端部内側において起立状態にあって後述する調整軸１１８に当接して、ローラホルダの後端部の保持手段であると共に、芯間調整機構１０９の一部を構成している。押しボルト１０８はナット１０８ａによって固定される。
主ガイドローラ１０４及び副ガイドローラ１０６のそれぞれの芯間調整は芯間調整機構１０９の操作によって同時に行われる。
ここで、芯間調整機構１０９について説明する。
ガイドボックス１０１上部中央にペデスタル１１０が取付けられており、このペデスタルに作動体であるピニオンシャフト１１１が軸受されている。ピニオンシャフト１１１には、互いに逆ねじ関係にある調整部である調整ピニオン１１２がペデスタル１１０を挾んで設けられている。
また図３に示すように、調整軸１１８の上部及び下部には第一上偏心部１１３及び第一下偏心部１１４をそれぞれ設けてある。第一上偏心部１１３及び第一下偏心部１１４は調整軸１１８に対して偏心している。第一上偏心部１１３及び第一下偏心部１１４はいずれもガイドボックス１０１に保持されている。第一上偏心部１１３は、ギアホイール１１５を一体的に形成してある。支点軸１０３の上部には第二上偏心部１１６を設けてある。第二上偏心部１１６は、図３に示すようにギアホイール１１７を一体的に形成してある。
第一上偏心部１１３と第二上偏心部１１６とは、互いに圧延材の進行方向（図１左右方向）に沿って間隔を置いて対向して配置されている。調整ピニオン１１２は、対向する第一及び第二上偏心部１１３，１１６の間に位置されてそれぞれのギアホイールのギア部１１５ａ，１１７ａと噛み合っている。
図１鎖線に示すように、ばねであるテンションスプリング１１９は両ローラホルダ１０２の先端部間に設けられている。テンションスプリング１１９は、ローラホルダ１０２の先端部間を開く方向にばね力が付与されており、このため後端部は閉じる方向にばね力がかかることになるから、ローラホルダ１０２の後端部にねじ込まれている押しボルト１０８の先端部は常に調整軸１１８に所定の圧力で接触し、そして支点軸１０３におけるローラホルダのガタ付きを抑制できる。
したがって、調整ピニオン１１２は、ピニオンシャフト１１１を回転操作すれば、第一上偏心部１１３と第二上偏心部１１６とを同時に回転させることができる。調整軸１１８は第一上偏心部１１３の回転に伴って偏心回転可能となり、その回転力は調整軸に接触している押しボルト１０８を通じてローラホルダ１０２の後端部側に伝達され、ローラホルダが支点軸１０３を中心として回転可能となり、その結果主ガイドローラ１０４の位置調整が図られる。押しボルト１０８はローラホルダ１０２の後端部側を支持する機能を有すると共に、調整軸１１８の偏心回転力をローラホルダへ伝える機能をも有する。また第二ローラ支持軸１０７は第二上偏心部１１６の回転に伴って偏心回転可能となり、その結果副ガイドローラ１０６の位置調整が図られる。
ガイドボックス１０１の後端側には圧延材の形状と近時する形状の孔形を有するエントリーガイド１２０が挿入されており、このエントリーガイドは押えボルト１２１によってガイドボックスに固定されている。
つぎに、主ガイドローラ１０４及び副ガイドローラ１０６のそれぞれの芯間調整操作について説明する。
ピニオンシャフト１１１を手動または自動によって回す。すると、ギアホイール１１５，１１７を介して第一上偏心部１１３と第二上偏心部１１６とは同時回転する。
一方において、第一上偏心部１１３の回転に伴って調整軸１１８は偏心回転し、この回転力が押しボルト１０８を通じてローラホルダ１０２の後端部側に伝達され、ローラホルダが支点軸１０３を中心として回転するために、ローラホルダ間が開閉され、この結果主ガイドローラ１０４の芯間の調整が図られる。調整後、押しボルト１０８にねじ込んであるナット１０８ａを締め付けて、ローラホルダ１０２を固定する。
他方において、第二上偏心部１１６の回転に伴って支点軸１０３は偏心回転し、このために第二ローラ支持軸１０７を通じて各副ガイドローラ１０６の位置が移動され、この結果副ガイドローラの芯間の調整が図られる。
この実施の形態では、主ガイドローラ１０４及び副ガイドローラ１０６のそれぞれの芯間調整を同時に行うことができ、主ガイドローラの芯間調整と副ガイドローラの芯間調整とを二段階に分けて行う必要がないから、調整操作の迅速化を達成できる。そしてローラホルダ１０２の後端部を上下方向に間隔を置いて配置した複数の押しボルト１０８によって保持することで、パスラインを挟んで対向するローラホルダ間が圧延材の案内誘導時に「ハ」の字形に開いて圧延材が倒れること（いわゆる「片開き」）を防止できる。しかも、主ガイドローラ１０４の芯間調整時に、押しボルト１０８は調整軸１１８からローラホルダ１０２へ回転力を伝達する役割を果たすために、芯間調整機構１０９を簡単な構成にすることに寄与する。さらに、テンションスプリング１１９は、ローラホルダ１０２の先端部間を開く方向にばね力を付与しているので、後端部間にばねを設ける場合に比較して支点軸１０３におけるローラホルダ１０２のガタ付きを抑制することができる。
図５乃至図９に示す入口ローラガイド装置Ｇ２について説明する。
入口ローラガイド装置Ｇ２の構成は入口ローラガイド装置Ｇ１のそれと実質的に同一であるので、相違する構成について説明し、共通する構成は必要な場合のみ説明する。
入口ローラガイド装置Ｇ２における各ローラホルダ２０２は、図７及び図９に示すように、その後端部に平面長円形の軸孔２０２ａが上下方向に貫通されている。芯間調整機構２０９の調整軸２１８は軸孔２０２ａ内に挿入され、ローラホルダ２０２の後端部を保持する手段を構成している。図９に示すローラホルダ２０２において、２０２ｂはローラ支持軸用の軸孔、２０２ｃは支点軸用の軸孔である。図５において、２２２はノーズピースである。
したがって、ピニオンシャフト２１１を回すと、調整ピニオン２１２、ギアホイール２１５，２１７を介して第一上偏心部２１３と第二上偏心部２１６とは同時に回転する。一方において、第一上偏心部２１３の回転に伴って調整軸２１８は偏心回転し、この回転力が直接ローラホルダ２０２の後端部側に伝達され、ローラホルダが支点軸２０３を中心として回転するために、両ローラホルダ間が開閉され、この結果主ガイドローラ２０４の芯間の調整が図られる。他方において、両第二上偏心部２１６の回転に伴って第二ローラ支持軸２０７は偏心回転し、各副ガイドローラ２０６の位置が移動され、副ガイドローラの芯間の調整が図られる。
ガイドボックス２０１、支点軸の下部２０３ａ、第一ローラ支持軸２０５、ペデスタル２１０、第一下偏心部２１４、エントリーガイド２２０及び押えボルト２２１は、前記ガイドボックス１０１、支点軸の下部１０３ａ、第一ローラ支持軸１０５、ペデスタル１１０、第一下偏心部１１４、エントリーガイド１２０及び押えボルト１２１にそれぞれ対応する。
入口ローラガイド装置Ｇ２は、入口ローラガイド装置Ｇ１における押しボルト１０８及びテンションスプリング１１９を設けていない。
この実施の形態では、上述した「片開き」を防止できる効果の他に、前記押しボルト１０８を用いないので、調整軸２１８の偏心回転力は直接ローラホルダ２０２に伝達されるので、ガイド装置全体の構成がより一層簡単となる。
作動体として、図ではピニオンシャフト１１１，２１１を用いたが、例えばシリンダのロッドで構成し、このロッドを前後に移動させてロッドに設けている調整部を介して第一及び第二上偏心部１１３，２１３，１１６，２１６を回転させるようにしても良い。
また第一及び第二上偏心部１１３，２１３，１１６，２１６は図示するようにスリーブで構成する必要はなく、調整軸１１８，２１８及び第二ローラ支持軸２０７，２０７と一体成形したものであっても良い。
さらに、いずれの入口ローラガイド装置Ｇ１，Ｇ２においても、第一及び第二下偏心部１１４，２１４を必ずしも設ける必要はない。
【発明の効果】
この発明によれば、第一ガイドローラと第二ガイドローラとの芯間を同時に調整できるので、調整作業の迅速化を図ることができる。この発明において、ローラホルダの後端部側を複数の押しボルトによって保持することにより、また後端部内を調整軸を挿通させて後端部側を保持することにより、対のローラホルダのいわゆる片開きを防止でき、誘導案内時における圧延材の倒れを確実に防ぐことができる。
【図面の簡単な説明】
【図１】この発明の入口ローラガイド装置Ｇ１を示す平面図である。
【図２】この発明の入口ローラガイド装置Ｇ１を示す正面図である。
【図３】この発明の入口ローラガイド装置Ｇ１の要部を示す断面図である。
【図４】この発明の入口ローラガイド装置Ｇ１を示す一部断面側面図である。
【図５】この発明の入口ローラガイド装置Ｇ２を示す平面図である。
【図６】この発明の入口ローラガイド装置Ｇ２を示す正面図である。
【図７】この発明の入口ローラガイド装置Ｇ２の要部を示す断面図である。
【図８】この発明の入口ローラガイド装置Ｇ２を示す側面図である。
【図９】この発明の入口ローラガイド装置Ｇ２におけるローラホルダの平面図である。
【符号の説明】
Ｇ１      入口ローラガイド装置              １０１    ガイドボックス
１０２    ローラホルダ                      １０３    支点軸
１０４    主ガイドローラ（第一ガイドローラ）１０５    第一ローラ支持軸
１０６    副ガイドローラ（第二ガイドローラ）１０７    第二ローラ支持軸
１０８    押しボルト                        １０９    芯間調整機構
１１１    ピニオンシャフト（作動体）
１１２    調整ピニオン（調整部）            １１３    第一上偏心部
１１５    ギアホイール                      １１５ａ  ギア部
１１６    第二上偏心部                      １１７    ギアホイール
１１７ａ  ギア部                            １１８    調整軸
１１９    テンションスプリング（ばね）
Ｇ２      入口ローラガイド装置              ２０１    ガイドボックス
２０２    ローラホルダ                      ２０３    支点軸
２０４    主ガイドローラ（第一ガイドローラ）２０５    第一ローラ支持軸
２０６    副ガイドローラ（第二ガイドローラ）２０７    第二ローラ支持軸
２０９    芯間調整機構
２１１    ピニオンシャフト（作動体）
２１２    調整ピニオン（調整部）            ２１３    第一上偏心部
２１５    ギアホイール                      ２１５ａ  ギア部
２１６    第二上偏心部                      ２１７    ギアホイール
２１７ａ  ギア部                            ２１８    調整軸
【図１】
0004139531.tif 000002
【図２】
0004139531.tif 000003
【図３】
0004139531.tif 000004
【図４】
0004139531.tif 000005
【図５】
0004139531.tif 000006
【図６】
0004139531.tif 000007
【図７】
0004139531.tif 000008
【図８】
0004139531.tif 000009
【図９】
0004139531.tif 000010